(57)【特許請求の範囲】
【請求項１】
光学撮像レンズであって、
第１のレンズ素子と、開口絞りと、第２のレンズ素子と、第３のレンズ素子と、第４のレンズ素子と、第５のレンズ素子と、を当該順序で光軸に沿って物体側から像側へ亘って備え、当該第１乃至第５のレンズ素子の各々が、屈折力を有するとともに、物体側に向いた物体側の面と像側に向いた像側の面とを有し、当該第１乃至第５のレンズ素子のみが、当該光学撮像レンズに対し全体として屈折力を有せしめるレンズ素子であり、
前記第１のレンズ素子は、凸面である前記物体側の面を有し、
前記第２のレンズ素子は、正の屈折力を有し、
前記第３のレンズ素子は、正の屈折力を有し、
前記第４のレンズ素子は、前記光軸近傍に凹部をなす前記像側の面を有し、
前記第５のレンズ素子は、前記光軸近傍に凹部をなすとともに当該第５のレンズ素子の周縁部近傍に凸部をなす前記像側の面を有し、
前記光軸に沿った前記第２のレンズ素子の中心厚を示すＴ２と、前記光軸に沿った前記第２のレンズ素子および前記第３のレンズ素子の間の空隙を示すＡＧ２３とは、式
Ｔ２／ＡＧ２３≦２．５
を満たす
ことを特徴とする光学撮像レンズ。
【請求項２】
前記Ｔ２と、前記光軸に沿った前記第３のレンズ素子の中心厚を示すＴ３とは、式
Ｔ２／Ｔ３≦１．２
を満たすことを特徴とする請求項１に記載の光学撮像レンズ。
【請求項３】
前記第４のレンズ素子は、前記光軸近傍に凸部をなす前記物体側の面を有し、
前記Ｔ３と、前記光軸に沿った前記第４のレンズ素子の中心厚を示すＴ４とは、式
Ｔ４／Ｔ３≦１．８
を満たす
ことを特徴とする請求項２に記載の光学撮像レンズ。
【請求項４】
前記Ｔ２と、前記光軸に沿った前記第１のレンズ素子および前記第２のレンズ素子の間の空隙を示すＡＧ１２とは、式
Ｔ２／ＡＧ１２≦５．３
を満たすことを特徴とする請求項１に記載の光学撮像レンズ。
【請求項５】
前記光軸に沿った前記第３のレンズ素子および前記第４のレンズ素子の間の空隙を示すＡＧ３４と、前記光軸に沿った前記第４のレンズ素子および前記第５のレンズ素子の間の空隙を示すＡＧ４５と、前記光軸に沿った前記第１のレンズ素子から前記第５のレンズ素子までのすべての４つの空隙の和を示すＡＡＧとは、式
４．５≦ＡＡＧ／（ＡＧ３４＋ＡＧ４５）
を満たすことを特徴とする請求項１に記載の光学撮像レンズ。
【請求項６】
前記光軸に沿った前記５つのレンズ素子すべての厚さの和を示すＡＬＴと、前記光軸に沿った前記第１のレンズ素子から前記第５のレンズ素子までのすべての４つの空隙の和を示すＡＡＧとは、式
ＡＬＴ／ＡＡＧ≦３．５
を満たすことを特徴とする請求項１に記載の光学撮像レンズ。
【請求項７】
前記光軸に沿った前記第１のレンズ素子の中心厚を示すＴ１と、前記光軸に沿った前記第１のレンズ素子および前記第２のレンズ素子の間の空隙を示すＡＧ１２とは、式
０．４≦Ｔ１／ＡＧ１２≦２．８
を満たすことを特徴とする請求項６に記載の光学撮像レンズ。
【請求項８】
前記第３のレンズ素子は、前記光軸近傍に凹部をなす前記物体側の面を有することを特徴とする請求項１に記載の光学撮像レンズ。
【請求項９】
前記光軸に沿った前記第４のレンズ素子の中心厚を示すＴ４と、前記光軸に沿った前記第１のレンズ素子および前記第２のレンズ素子の間の空隙を示すＡＧ１２とは、式
Ｔ４／ＡＧ１２≦２．０
を満たすことを特徴とする請求項８に記載の光学撮像レンズ。
【発明の詳細な説明】
【技術分野】
【０００１】
本発明は、光学撮像レンズに関し、特に、５つのレンズ素子を有する光学撮像レンズを適用した携帯機器の光学撮像レンズに関するものである。
【背景技術】
【０００２】
寸法の縮小化は、近年の光学撮像レンズの設計における主要な考慮事項である。ところが、光学撮像レンズの長さを縮小する場合には、良好な光学特性を得ることが困難な問題となる。
【０００３】
特許文献１、特許文献２、特許文献３は、いずれも、５つのレンズ素子を有する光学撮像レンズで構成された光学撮像レンズについて開示したものである。これらの特許では、第１のレンズ素子の前面に開口絞りが配置されており、最初の２つのレンズ素子の屈折力の遷移は正‐負である。しかしながら、これらの特許におけるＨＦＯＶ（Ｈａｌｆ  ｏｆ  Ｆｉｅｌｄ  Ｏｆ  Ｖｉｅｗ：半視野）は３２〜３３度にすぎず、また、それらの光学撮像レンズの長さは６．５〜８．０ｍｍの範囲になるので、このような構成は、より良好な撮像品質と薄型化およびスリム化された設計を求めるユーザの要求を未だ満足できていない。
【先行技術文献】
【特許文献】
【０００４】
【特許文献１】米国特許第７５０２１８１号明細書
【特許文献２】米国特許第７８２６１５１号明細書
【特許文献３】米国特許第８４２２１４５号明細書
【発明の概要】
【発明が解決しようとする課題】
【０００５】
よって、良好な光学特性も有しつつ、長さが短縮された光学撮像レンズを開発することが必要とされている。
【課題を解決するための手段】
【０００６】
本発明の目的は、携帯機器ならびにその光学撮像レンズを提供することである。レンズ素子の凸状もしくは凹状の表面形状、屈折力を制御し、さらに第２のレンズ素子の厚さに関連した不等式を満たすように２つのパラメータを制御することによって、光学撮像レンズの長さが短縮されると同時に、良好な光学特性および系の機能性が維持される。
【０００７】
例示的な実施形態において、光学撮像レンズは、光軸に沿って物体側から像側へ順に、第１のレンズ素子と、開口絞りと、第２のレンズ素子と、第３のレンズ素子と、第４のレンズ素子と、第５のレンズ素子とを備え、これら第１、第２、第３、第４、第５のレンズ素子の各々は、屈折力を有するとともに、物体側に向いた物体側の面と、像側に向いた像側の面とを有し、該光学撮像レンズでは、第１のレンズ素子の物体側の面は凸面であり、第２のレンズ素子は正の屈折力を有し、第５のレンズ素子の像側の面は、光軸近傍に凹部を有するともに、該第５のレンズ素子の周縁部近傍に凸部を有し、また、該光学撮像レンズは、全体として、屈折力を有するレンズ素子を該５つのみを有し、第２のレンズ素子の厚さに関連した不等式を満たしている。その不等式は、次のいずれかである。
Ｔ２／ＡＧ２３≦２．５                      式（１）；または
Ｔ２／Ｔ３≦１．２                          式（２）；または
Ｔ２／ＡＧ１２≦５．３                      式（３）；
光軸に沿った第２のレンズ素子の中心厚をＴ２とし、光軸に沿った第３のレンズ素子の中心厚をＴ３とし、光軸に沿った第１のレンズ素子と第２のレンズ素子との間の空隙をＡＧ１２とし、光軸に沿った第２のレンズ素子と第３のレンズ素子との間の空隙をＡＧ２３とする。
【０００８】
別の例示的な実施形態では、パラメータ間の比に関するものなど、いくつかの式について考慮することができる。例えば、Ｔ３と、光軸に沿った第４のレンズ素子の中心厚Ｔ４とを、次のような式を満たすように制御することができる。
Ｔ４／Ｔ３≦１．８                          式（４）；または
【０００９】
光軸に沿った５つのレンズ素子すべての厚さの和ＡＬＴと、光軸に沿った第１のレンズ素子から第５のレンズ素子までのすべての４つの空隙の和ＡＡＧとを、次のような式を満たすように制御することができる。
ＡＬＴ／ＡＡＧ≦３．５                      式（５）；または
【００１０】
ＡＧ２３と、光軸に沿った第５のレンズ素子の中心厚Ｔ５とを、次のような式を満たすように制御することができる。
Ｔ５／ＡＧ２３≦２．０                      式（６）；または
【００１１】
Ｔ４とＡＧ２３とを、次のような式を満たすように制御することができる。
Ｔ４／ＡＧ２３≦４．０                      式（７）；または
【００１２】
ＡＧ２３とＡＬＴとを、次のような式を満たすように制御することができる。
ＡＬＴ／ＡＧ２３≦１０．０                  式（８）；または
【００１３】
ＡＡＧと、光軸に沿った第３のレンズ素子と第４のレンズ素子との間の空隙ＡＧ３４と、光軸に沿った第４のレンズ素子と第５のレンズ素子との間の空隙ＡＧ４５とを、次のような式を満たすように制御することができる。
４．５≦ＡＡＧ／（ＡＧ３４＋ＡＧ４５）      式（９）；または
【００１４】
ＡＧ１２と、光軸に沿った第１のレンズ素子の中心厚Ｔ１とを、次のような式を満たすように制御することができる。
Ｔ１／ＡＧ１２≦２．８                      式（１０）；または
０．４≦Ｔ１／ＡＧ１２≦２．８              式（１０’）；または
【００１５】
Ｔ４とＡＧ１２とを、次のような式を満たすように制御することができる。
Ｔ４／ＡＧ１２≦２．０                      式（１１）；または
【００１６】
Ｔ３とＡＬＴとを、次のような式を満たすように制御することができる。
３．５≦ＡＬＴ／Ｔ３≦６．０                式（１２）；または
【００１７】
Ｔ４とＴ５とを、次のような式を満たすように制御することができる。
０．８≦Ｔ５／Ｔ４                          式（１３）；または
【００１８】
ＡＡＧとＴ４とを、次のような式を満たすように制御することができる。
１．７≦ＡＡＧ／Ｔ４                        式（１４）
【００１９】
前述の例示的な実施形態は、限定されるものではなく、本明細書に記載の他の実施形態に選択的に組み込むことができる。
【００２０】
一部の例示的な実施形態では、系の性能および／または解像度の制御を強化するため、レンズ素子の凸面もしくは凹面構造または屈折力についてのさらなる詳細を、１つの特定のレンズ素子に、または広く複数のレンズ素子に、組み込むことができる。例えば、第２のレンズ素子の物体側の面は、該第２のレンズ素子の周縁部近傍に凹部をさらに有することができ、第３のレンズ素子の物体側の面は、光軸近傍に凹部をさらに有することができ、第３のレンズ素子の像側の面は、光軸近傍に凸部を有し、第４のレンズ素子の物体側の面は、光軸近傍に凸部をさらに有することができ、さらに／または第５のレンズ素子は、正の屈折力を有することができる、などである。これらの詳細は、いかなる矛盾も生じない限りにおいて、例示的な実施形態に組み込むことができるということに留意すべきである。
【００２１】
別の例示的な実施形態において、ハウジングと、ハウジング内に配置された撮影モジュールと、を備える携帯機器を提供する。撮影モジュールは、前述の例示的な実施形態のいずれかの光学撮像レンズと、レンズ鏡筒と、モジュール収容ユニットと、基板と、撮像センサと、を有する。レンズ鏡筒は光学撮像レンズを位置決めするためのものであり、モジュール収容ユニットはレンズ鏡筒を位置決めするためのものであり、基板はモジュール収容ユニットを位置決めするためのものであり、撮像センサは光学撮像レンズの像側で基板上に配置される。
【００２２】
レンズ素子（複数の場合もある）の凸状もしくは凹状の表面形状、屈折力を制御し、さらに第２のレンズ素子の厚さに関連した不等式を満たすように２つのパラメータを制御することによって、例示的な実施形態における携帯機器およびその光学撮像レンズは、良好な光学特性を実現するとともに、光学撮像レンズの長さを効果的に短縮している。
【００２３】
例示的な実施形態について、添付の図面を併用して以下の詳細な説明を読むことで、より容易に理解されるであろう。
【図面の簡単な説明】
【００２４】
【図１】本開示に係る１つのレンズ素子の単独の断面図である。
【図２】本開示に係る５つのレンズ素子を有する光学撮像レンズの第１の実施形態の断面図である。
【図３】本開示に係る光学撮像レンズの第１の実施形態についての縦球面収差および他の種類の光学収差のチャートである。
【図４】本開示に係る光学撮像レンズの第１の実施形態の各レンズ素子についての光学データの表である。
【図５】本開示に係る光学撮像レンズの第１の実施形態についての非球面データの表である。
【図６】本開示に係る５つのレンズ素子を有する光学撮像レンズの第２の実施形態の断面図である。
【図７】本開示に係る光学撮像レンズの第２の実施形態についての縦球面収差および他の種類の光学収差のチャートである。
【図８】本開示の第２の実施形態の光学撮像レンズの各レンズ素子についての光学データの表である。
【図９】本開示に係る光学撮像レンズの第２の実施形態についての非球面データの表である。
【図１０】本開示に係る５つのレンズ素子を有する光学撮像レンズの第３の実施形態の断面図である。
【図１１】本開示に係る光学撮像レンズの第３の実施形態についての縦球面収差および他の種類の光学収差のチャートである。
【図１２】本開示の第３の実施形態の光学撮像レンズの各レンズ素子についての光学データの表である。
【図１３】本開示に係る光学撮像レンズの第３の実施形態についての非球面データの表である。
【図１４】本開示に係る５つのレンズ素子を有する光学撮像レンズの第４の実施形態の断面図である。
【図１５】本開示に係る光学撮像レンズの第４の実施形態についての縦球面収差および他の種類の光学収差のチャートである。
【図１６】本開示の第４の実施形態の光学撮像レンズの各レンズ素子についての光学データの表である。
【図１７】本開示に係る光学撮像レンズの第４の実施形態についての非球面データの表である。
【図１８】本開示に係る５つのレンズ素子を有する光学撮像レンズの第５の実施形態の断面図である。
【図１９】本開示に係る光学撮像レンズの第５の実施形態についての縦球面収差および他の種類の光学収差のチャートである。
【図２０】本開示の第５の実施形態の光学撮像レンズの各レンズ素子についての光学データの表である。
【図２１】本開示に係る光学撮像レンズの第５の実施形態についての非球面データの表である。
【図２２】本開示に係る５つのレンズ素子を有する光学撮像レンズの第６の実施形態の断面図である。
【図２３】本開示に係る光学撮像レンズの第６の実施形態についての縦球面収差および他の種類の光学収差のチャートである。
【図２４】本開示の第６の実施形態の光学撮像レンズの各レンズ素子についての光学データの表である。
【図２５】本開示に係る光学撮像レンズの第６の実施形態についての非球面データの表である。
【図２６】本開示に係る５つのレンズ素子を有する光学撮像レンズの第７の実施形態の断面図である。
【図２７】本開示に係る光学撮像レンズの第７の実施形態についての縦球面収差および他の種類の光学収差のチャートである。
【図２８】本開示の第７の実施形態の光学撮像レンズの各レンズ素子についての光学データの表である。
【図２９】本開示に係る光学撮像レンズの第７の実施形態についての非球面データの表である。
【図３０】本開示に係る５つのレンズ素子を有する光学撮像レンズの第８の実施形態の断面図である。
【図３１】本開示に係る光学撮像レンズの第８の実施形態についての縦球面収差および他の種類の光学収差のチャートである。
【図３２】本開示の第８の実施形態の光学撮像レンズの各レンズ素子についての光学データの表である。
【図３３】本開示に係る光学撮像レンズの第８の実施形態についての非球面データの表である。
【図３４】本開示に係る５つのレンズ素子を有する光学撮像レンズの第９の実施形態の断面図である。
【図３５】本開示に係る光学撮像レンズの第９の実施形態についての縦球面収差および他の種類の光学収差のチャートである。
【図３６】本開示の第９の実施形態の光学撮像レンズの各レンズ素子についての光学データの表である。
【図３７】本開示に係る光学撮像レンズの第９の実施形態についての非球面データの表である。
【図３８】本開示に係る５つのレンズ素子を有する光学撮像レンズの第１０の実施形態の断面図である。
【図３９】本開示に係る光学撮像レンズの第１０の実施形態についての縦球面収差および他の種類の光学収差のチャートである。
【図４０】本開示の第１０の実施形態の光学撮像レンズの各レンズ素子についての光学データの表である。
【図４１】本開示に係る光学撮像レンズの第１０の実施形態についての非球面データの表である。
【図４２】本開示に係る５つのレンズ素子を有する光学撮像レンズの第１１の実施形態の断面図である。
【図４３】本開示に係る光学撮像レンズの第１１の実施形態についての縦球面収差および他の種類の光学収差のチャートである。
【図４４】本開示の第１１の実施形態の光学撮像レンズの各レンズ素子についての光学データの表である。
【図４５】本開示に係る光学撮像レンズの第１１の実施形態についての非球面データの表である。
【図４６】１１通りのすべての例示的な実施形態の、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、およびＡＡＧ／Ｔ４の値についての表である。
【図４７】携帯機器の例示的な実施形態の構造である。
【図４８】携帯機器の他の例示的な実施形態の構造の部分拡大図である。
【発明を実施するための形態】
【００２５】
本開示およびその効果のより完全な理解のため、以下、同様の参照符号により類似の特徴を示している添付の図面を併用して、以下の説明を参照する。当業者であれば、本明細書に記載のものを含む例示的な実施形態を実現するための他の様々な変形例を把握するであろう。図面は、特定の縮尺に限定されるものではなく、また、類似の要素を表すために同様の参照符号を使用している。
本開示および添付の請求項で使用される場合の、「例示的な実施形態」「一実施形態」および「本実施形態」という表現は、１つのみの実施形態を指すこともあるものの、必ずしもそうであるとは限らず、種々の例示的な実施形態は、本発明の範囲または趣旨から逸脱することなく、容易に組み合わせおよび相互入れ替えすることができる。また、本明細書で使用する専門用語は、単に例示的な実施形態を説明するためのものにすぎず、本発明を限定するものではない。これに関連して、本明細書で使用される場合の「〜において（ｉｎ）」という表現は、「〜の中で（ｉｎ）」と「〜の上で（ｏｎ）」を含み得るものであり、また、「ａ」「ａｎ」および「ｔｈｅ」という表現は、単数を指す場合と複数を指す場合を含み得る。
また、本明細書で使用される場合の「〜によって（ｂｙ）」という表現は、文脈によっては、「〜から（ｆｒｏｍ）」を意味することもある。さらに、本明細書で使用される場合の「〜場合に（ｉｆ）」という表現は、文脈によっては、「〜ときに（ｗｈｅｎ）」または「〜際に（ｕｐｏｎ）」を意味することもある。さらに、本明細書で使用される場合の「および／または（ａｎｄ／ｏｒ）」という言葉は、関連して列挙されるアイテムのうち１つまたは複数からなるあらゆる可能な組み合わせを指すことができ、また、包含し得るものである。
【００２６】
なお、本明細書において、「正の屈折力（または負の屈折力）を有するレンズ素子」とは、そのレンズ素子が光軸近傍において正の屈折力（または負の屈折力）を有することを意味する。「レンズ素子の物体側（または像側）の面が、特定の領域に凸部（または凹部）を有する」とは、そのレンズ素子の物体側（または像側）の面が、その特定の領域において、その特定の領域に径方向に隣接する外側の領域と比較して、光軸と平行な方向に沿って、「外側に隆起している（または内側に窪んでいる）」ことを意味する。図１を例にとると、同図に示すレンズ素子は、Ｉで示す光軸に関して、径方向に対称である。レンズ素子の物体側の面は、領域Ａに凸部を有し、領域Ｂに凹部を有し、領域Ｃに別の凸部を有する。なぜなら、物体側の面は、領域Ａに径方向に隣接する外側の領域（すなわち領域Ｂ）と比較して、領域Ａで外側に隆起しており、物体側の面は、領域Ｃと比較して領域Ｂで内側に窪んでおり、物体側の面は、領域Ｅと比較して領域Ｃで外側に隆起しているからである。
本明細書において、「レンズ素子の周縁部近傍に」とは、そのレンズ素子の撮像光を通過させるための面の周縁領域の近傍、すなわち図１に示す領域Ｃに、という意味である。撮像光は、主光線Ｌｃと周辺光線Ｌｍとを含んでいる。「光軸近傍に」とは、そのレンズ素子の撮像光を通過させるための面の光軸近傍、すなわち図１に示す領域Ａに、という意味である。さらに、レンズ素子は、該レンズ素子を光学撮像レンズ内に取り付けるための拡張部Ｅを備えることができる。理想的には、撮像光は拡張部Ｅを通過しない。本例の拡張部Ｅは単なる一例にすぎず、その構造および形状は、この特定の例に限定されない。また、留意すべきことは、図面を明瞭かつ簡潔に保つため、以下で示す例示的な実施形態におけるレンズ素子はいずれも、拡張部が省略されているということである。
【００２７】
光学撮像レンズの例示的な実施形態は、第１のレンズ素子と、開口絞りと、第２のレンズ素子と、第３のレンズ素子と、第４のレンズ素子と、第５のレンズ素子とを備えることができ、それらのレンズ素子の各々は、屈折力を有するとともに、物体側に向いた物体側の面と、像側に向いた像側の面とを有する。それらのレンズ素子は、光軸に沿って物体側から像側へ順に配置することができ、また、レンズの例示的な実施形態は、全体として、屈折力を有するレンズ素子を該５つのみ含み得る。
例示的な一実施形態において、第１のレンズ素子の物体側の面は凸面であり、第２のレンズ素子は正の屈折力を有し、第５のレンズ素子の像側の面は、光軸近傍に凹部を有するとともに、該第５のレンズ素子の周縁部近傍に凸部を有し、また、光学撮像レンズは、第２のレンズ素子の厚さに関連した不等式を満たしている。その不等式は、次のいずれかである。
Ｔ２／ＡＧ２３≦２．５                      式（１）；または
Ｔ２／Ｔ３≦１．２                          式（２）；または
Ｔ２／ＡＧ１２≦５．３                      式（３）；
光軸に沿った第２のレンズ素子の中心厚をＴ２とし、光軸に沿った第３のレンズ素子の中心厚をＴ３とし、光軸に沿った第１のレンズ素子と第２のレンズ素子との間の空隙をＡＧ１２とし、光軸に沿った第２のレンズ素子と第３のレンズ素子との間の空隙をＡＧ２３とする。
【００２８】
レンズ素子は、光学特性および光学撮像レンズの長さを考慮して設計されることが好ましい。例えば、正の屈折力を有する第２のレンズ素子は、光学撮像レンズに必要な正の屈折力を与えるものであり、第１と第２のレンズ素子の間に配置された開口絞りは、ＨＦＯＶを拡大するとともに、光学撮像レンズの収差を除去する助けとなり、また、第５のレンズ素子の光軸近傍の凹部および周縁部近傍の凸部は、像面湾曲収差を抑えるように、像面への光の出射角を調整する助けとなる。
第５のレンズ素子の屈折力が、光学撮像レンズに必要な正の屈折力を第２のレンズ素子と分担するように正である場合には、製造プロセス感度が低減される。また、第２のレンズ素子のその物体側の面における周縁部近傍の凹部、第３のレンズ素子の物体側の面における光軸近傍の凹部、第３のレンズ素子の像側の面における光軸近傍の凸部、および／または第４のレンズ素子の物体側の面における光軸近傍の凸部など、レンズ素子面の形状のいくつか細目によって、系全体の像品質をさらに向上させることができる。
【００２９】
別の例示的な実施形態では、パラメータ間の比に関するものなど、パラメータのいくつかの式について考慮することができる。例えば、Ｔ３と、光軸に沿った第４のレンズ素子の中心厚Ｔ４とを、次のような式を満たすように制御することができる。
Ｔ４／Ｔ３≦１．８                          式（４）；または
【００３０】
光軸に沿った５つのレンズ素子すべての厚さの和ＡＬＴと、光軸に沿った第１のレンズ素子から第５のレンズ素子までのすべての４つの空隙の和ＡＡＧとを、次のような式を満たすように制御することができる。
ＡＬＴ／ＡＡＧ≦３．５                      式（５）；または
【００３１】
ＡＧ２３と、光軸に沿った第５のレンズ素子の中心厚Ｔ５とを、次のような式を満たすように制御することができる。
Ｔ５／ＡＧ２３≦２．０                      式（６）；または
【００３２】
Ｔ４とＡＧ２３とを、次のような式を満たすように制御することができる。
Ｔ４／ＡＧ２３≦４．０                      式（７）；または
【００３３】
ＡＧ２３とＡＬＴとを、次のような式を満たすように制御することができる。
ＡＬＴ／ＡＧ２３≦１０．０                  式（８）；または
【００３４】
ＡＡＧと、光軸に沿った第３のレンズ素子と第４のレンズ素子との間の空隙ＡＧ３４と、光軸に沿った第４のレンズ素子と第５のレンズ素子との間の空隙ＡＧ４５とを、次のような式を満たすように制御することができる。
４．５≦ＡＡＧ／（ＡＧ３４＋ＡＧ４５）      式（９）；または
【００３５】
ＡＧ１２と、光軸に沿った第１のレンズ素子の中心厚Ｔ１とを、次のような式を満たすように制御することができる。
Ｔ１／ＡＧ１２≦２．８                      式（１０）；または
０．４≦Ｔ１／ＡＧ１２≦２．８              式（１０’）；または
【００３６】
Ｔ４とＡＧ１２とを、次のような式を満たすように制御することができる。
Ｔ４／ＡＧ１２≦２．０                      式（１１）；または
【００３７】
Ｔ３とＡＬＴとを、次のような式を満たすように制御することができる。
３．５≦ＡＬＴ／Ｔ３≦６．０                式（１２）；または
【００３８】
Ｔ４とＴ５とを、次のような式を満たすように制御することができる。
０．８≦Ｔ５／Ｔ４                          式（１３）；または
【００３９】
ＡＡＧとＴ４とを、次のような式を満たすように制御することができる。
１．７≦ＡＡＧ／Ｔ４                        式（１４）
【００４０】
前述の例示的な実施形態は、限定されるものではなく、本明細書に記載の他の実施形態に選択的に組み込むことができる。
【００４１】
ここで、式（１）、（２）、（３）を参照する。この場合、これら３つの式は、光学撮像レンズに必要な正の屈折力を主に与えるのは第２のレンズ素子であることを考慮して、第２のレンズ素子の厚さに関する比を、ある特定の範囲内に制限するように設計されている。よって、第２のレンズ素子の厚さを縮小すれば、光学撮像レンズの長さも短縮される。
これに対し、短縮される可能性がより低いか、または短縮される主な対象ではないパラメータがいくつかあり、そのようなパラメータを、それぞれ式（１）、（２）、（３）で、光学撮像レンズの光学特性を制御するために用いている。これによって、光学撮像レンズは、短縮された長さで、良好な光学特性を実現することができる。
【００４２】
ここで、式（１）を参照する。この式は、小さいと望ましいＴ２と、第２と第３のレンズ素子間の大きい空隙によって光が望ましいレベルまで広がってから第３のレンズ素子に入射することが可能になることと、を考慮して設計されている。これが成り立つ場合、像品質は、より良好となる。よって、Ｔ２／ＡＧ２３の値は、より小さいほうが望ましい。Ｔ２／ＡＧ２３の値は、式（１）を満たすように２．５以下であることが好ましく、より好ましくは、Ｔ２／ＡＧ２３の値は、下限値として０．６などが推奨される。
【００４３】
次に、式（２）を参照する。この式は、小さいと望ましいＴ２と、第３のレンズ素子の厚さがある程度の値である必要があることと、を考慮して設計されている。よって、Ｔ２／Ｔ３の値は、より小さいほうが望ましい。Ｔ２／Ｔ３の値は、式（２）を満たすように１．２以下であることが好ましく、より好ましくは、Ｔ２／Ｔ３の値は、下限値として０．５などが推奨される。
【００４４】
次に、式（３）を参照する。この式は、小さいと望ましいＴ２と、開口絞りを受容するためには第１と第２のレンズ素子間の空隙がある程度の値である必要があることと、を考慮して設計されている。よって、Ｔ２／ＡＧ１２の値は、より小さいほうが望ましい。Ｔ２／ＡＧ１２の値は、式（３）を満たすように５．３以下であることが好ましく、より好ましくは、Ｔ２／ＡＧ１２の値は、下限値として０．５などが推奨される。
【００４５】
次に、式（４）〜（１４）の設計において考慮した事項は、以下の通りである。
【００４６】
ここで、式（４）を参照する。第４のレンズ素子の厚さができる限り薄く、一方、第３のレンズ素子の厚さがある程度の値に維持される場合に、Ｔ３とＴ４の値は適切に設定される。よって、Ｔ４／Ｔ３の値は、式を（４）満たすように１．８以下であることが好ましく、より好ましくは、Ｔ４／Ｔ３の値は、下限値として０．２などが推奨される。
【００４７】
次に、式（５）を参照する。この式は、光学撮像レンズに厚いレンズ素子を含むことを効果的に回避するために、このパラメータＡＬＴ／ＡＡＧを用いることができることを考慮して設計されている。よって、ＡＬＴ／ＡＡＧの値は、式（５）を満たすように３．５以下であることが好ましく、より好ましくは、ＡＬＴ／ＡＡＧの値は、下限値として１．２などが推奨される。
【００４８】
次に、式（６）を参照する。上述のように、ＡＧ２３は大きいと望ましく、これにより、Ｔ５／ＡＧ２３が小さいと望ましいことになる。よって、Ｔ５／ＡＧ２３の値は、式（６）を満たすように２．０以下であることが好ましく、より好ましくは、Ｔ５／ＡＧ２３の値は、下限値として０．７などが推奨される。
【００４９】
次に、式（７）および（８）を参照する。上述のように、ＡＧ２３は大きいと望ましく、これにより、Ｔ４／ＡＧ２３およびＡＬＴ／ＡＧ２３が小さいと望ましいことになる。よって、Ｔ４／ＡＧ２３の値は、式（７）を満たすように４．０以下であることが好ましく、より好ましくは、Ｔ４／ＡＧ２３の値は、下限値として０．４などが推奨される。ＡＬＴ／ＡＧ２３の値は、式（８）を満たすように１０．０以下であることが好ましく、より好ましくは、ＡＬＴ／ＡＧ２３の値は、下限値として３．０などが推奨される。
【００５０】
次に、式（９）を参照する。光学撮像レンズの長さの短縮化を進めるために、それぞれの空隙が短縮されるが、ただし、第１と第２のレンズ素子間の空隙は、開口絞りを受容するためには、ある程度の値である必要があり、また、第２と第３のレンズ素子間の空隙も、ある程度の値である必要がある。これにより、空隙ＡＧ３４およびＡＧ４５は、短縮の可能性がより高く、ＡＡＧ／（ＡＧ３４＋ＡＧ４５）が大きいと望ましいことになる。よって、ＡＡＧ／（ＡＧ３４＋ＡＧ４５）の値は、式（９）を満たすように４．５以上であることが好ましく、より好ましくは、ＡＡＧ／（ＡＧ３４＋ＡＧ４５）の値は、上限値として１１．０などが推奨される。
【００５１】
次に、式（１０）および（１１）を参照する。上述のように、ＡＧ１２は、開口絞りを受容するためには、ある程度の値である必要がある。光学撮像レンズの長さを短縮するためには、Ｔ１およびＴ４は、小さい値であることが望ましく、これにより、Ｔ１／ＡＧ１２およびＴ４／ＡＧ１２は、小さい値であると望ましいことになる。よって、Ｔ１／ＡＧ１２の値は、式（１０）を満たすように２．８以下であることが好ましく、より好ましくは、Ｔ１／ＡＧ１２の値は、下限値として０．４などが推奨される。Ｔ４／ＡＧ１２の値は、式（１１）を満たすように２．０以下であることが好ましく、より好ましくは、Ｔ４／ＡＧ１２の値は、下限値として０．４などが推奨される。
【００５２】
次に、式（１２）を参照する。ＡＬＴ／Ｔ３の値が、式（１２）を満たすように３．５〜６．０の範囲内である場合には、Ｔ３の値の設定をより適切とすることができる。
【００５３】
次に、式（１３）を参照する。第５のレンズ素子において光が通過する領域は、第４のレンズ素子のそれよりも大きいので、第５のレンズ素子の厚さは短縮される可能性がより低い。これにより、Ｔ５／Ｔ４は、大きいと望ましいことになる。よって、Ｔ５／Ｔ４の値は、式（１３）を満たすように０．８以上であることが好ましく、より好ましくは、Ｔ５／Ｔ４の値は、上限値として３．０などが推奨される。
【００５４】
次に、式（１４）を参照する。ＡＡＧが小さい場合に生じ得る製造プロセスで直面する難しさを考慮すると、ＡＡＧ／Ｔ４の値は、式（１４）を満たすように１．７以上であることが好ましく、より好ましくは、ＡＡＧ／Ｔ４の値は、上限値として５．０などが推奨される。
【００５５】
例示的な実施形態を実施する際には、系の性能および／または解像度の制御を強化するため、以下の実施形態で示すように、凸面もしくは凹面構造および／または屈折力についてのさらなる詳細を、１つの特定のレンズ素子に、または広く複数のレンズ素子に、組み込むことができる。例えば、第２のレンズ素子の物体側の面は、該第２のレンズ素子の周縁部近傍に凹部をさらに有することができ、第３のレンズ素子の物体側の面は、光軸近傍に凹部をさらに有することができ、第３のレンズ素子の像側の面は、光軸近傍に凸部を有し、第４のレンズ素子の物体側の面は、光軸近傍に凸部をさらに有することができ、さらに／または第５のレンズ素子は、正の屈折力を有することができる、などである。これらの詳細は、いかなる矛盾も生じない限りにおいて、例示的な実施形態に組み込むことができるということに留意すべきである。
【００５６】
良好な光学特性を有するとともに長さが短縮された光学撮像レンズの例示的な実施形態について説明するため、以下、いくつかの典型例となる実施形態ならびに関連する光学データを提示する。ここで、図２〜５を参照する。図２は、第１の例示的な実施形態による光学撮像レンズの、５つのレンズ素子を有する光学撮像レンズ１の例示的な断面図を示している。図３は、例示的な一実施形態による光学撮像レンズ１の縦球面収差および他の種類の光学収差の例示的なチャートを示している。図４は、例示的な一実施形態による光学撮像レンズ１の各レンズ素子についての光学データの例示的な表を示している。図５は、例示的な一実施形態による光学撮像レンズ１についての非球面データの例示的な表を示している。
【００５７】
図２に示すように、本実施形態の光学撮像レンズ１は、光軸に沿って物体側Ａ１から像側Ａ２へ順に、第１のレンズ素子１１０と、開口絞り１００と、第２のレンズ素子１２０と、第３のレンズ素子１３０と、第４のレンズ素子１４０と、第５のレンズ素子１５０と、を備える。光学レンズ１の像側Ａ２に、フィルタリングユニット１６０、および撮像センサの像面１７０が配置される。第１、第２、第３、第４、第５のレンズ素子１１０、１２０、１３０、１４０、１５０、およびフィルタリングユニット１６０のそれぞれは、物体側Ａ１に向いた物体側の面１１１／１２１／１３１／１４１／１５１／１６１と、像側Ａ２に向いた像側の面１１２／１２２／１３２／１４２／１５２／１６２と、を有する。
図示のフィルタリングユニット１６０の例示的な実施形態は、第５のレンズ素子１５０と像面１７０との間に配置されるＩＲカットフィルタ（赤外線カットフィルタ）である。フィルタリングユニット１６０は、光学撮像レンズ１を通過する光から特定の波長の光を選択的に吸収する。例えば、赤外光が吸収され、これによって、人間の目に見えない赤外光により像面１７０に像が形成されることを防いでいる。
【００５８】
以下、プラスチック材料で構成することができる光学撮像レンズ１の各レンズ素子の例示的な実施形態について、図面を参照して説明する。
【００５９】
第１のレンズ素子１１０の例示的な実施形態は、正の屈折力を有することができる。物体側の面１１１は凸面であり、像側の面１１２は凹面である。
【００６０】
第２のレンズ素子１２０の例示的な実施形態は、正の屈折力を有することができる。物体側の面１２１は、光軸近傍に凸部１２１１を有するとともに、該第２のレンズ素子１２０の周縁部近傍に凹部１２１２を有する。像側の面１２２は凸面である。
【００６１】
第３のレンズ素子１３０の例示的な実施形態は、正の屈折力を有することができる。物体側の面１３１は、光軸近傍に凹部１３１１を有する凹面である。像側の面１３２は、光軸近傍に凸部１３２１を有する凸面である。
【００６２】
第４のレンズ素子１４０の例示的な実施形態は、負の屈折力を有することができる。物体側の面１４１は、光軸近傍に凸部１４１１を有するとともに、該第４のレンズ素子１４０の周縁部近傍に凹部１４１２を有する。像側の面１４２は、光軸近傍に凹部１４２１を有するとともに、該第４のレンズ素子１４０の周縁部近傍に凸部１４２２を有する。
【００６３】
第５のレンズ素子１５０の例示的な実施形態は、正の屈折力を有することができる。物体側の面１５１は、光軸近傍に凸部１５１１を有するとともに、該第５のレンズ素子１５０の周縁部近傍に凹部１５１２を有する。像側の面１５２は、光軸近傍に凹部１５２１を有するとともに、該第５のレンズ素子１５０の周縁部近傍に凸部１５２２を有する。
【００６４】
例示的な実施形態では、レンズ素子１１０、１２０、１３０、１４０、１５０と、フィルタリングユニット１６０と、撮像センサの像面１７０との間に、空隙が存在する。例えば、図２では、第１のレンズ素子１１０と第２のレンズ素子１２０との間に存在する空隙ｄ１と、第２のレンズ素子１２０と第３のレンズ素子１３０との間に存在する空隙ｄ２と、第３のレンズ素子１３０と第４のレンズ素子１４０との間に存在する空隙ｄ３と、第４のレンズ素子１４０と第５のレンズ素子１５０との間に存在する空隙ｄ４と、第５のレンズ素子１５０とフィルタリングユニット１６０との間に存在する空隙ｄ５と、フィルタリングユニット１６０と撮像センサの像面１７０との間に存在する空隙ｄ６と、を示している。
しかしながら、他の実施形態では、上記の空隙のいずれかは、存在しても存在しなくてもよい。例えば、いずれか２つの隣接するレンズ素子の対向する面の形状は、相互に対応している場合があり、そのような状況では、空隙は存在しないことがある。第１のレンズ素子１１０と第２のレンズ素子１２０との間の空隙ｄ１をＡＧ１２で表し、第２のレンズ素子１２０と第３のレンズ素子１３０との間の空隙ｄ２をＡＧ２３で表し、第３のレンズ素子１３０と第４のレンズ素子１４０との間の空隙ｄ３をＡＧ３４で表し、第４のレンズ素子１４０と第５のレンズ素子１５０との間の空隙ｄ４をＡＧ４５で表し、ｄ１、ｄ２、ｄ３、ｄ４の和をＡＡＧで表す。
【００６５】
図４は、本実施形態の光学撮像レンズ１の各レンズ素子の光学特性を示しており、この場合、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値は、次の通りである。
ＡＬＴ＝２．２７９（ｍｍ）；
ＡＡＧ＝０．７３２（ｍｍ）；
Ｔ２／ＡＧ２３＝２．４７１；
Ｔ４／Ｔ３＝１．７５７；
ＡＬＴ／ＡＡＧ＝３．１１６；
Ｔ２／Ｔ３＝２．２２４；
Ｔ５／ＡＧ２３＝１．０７４；
Ｔ２／ＡＧ１２＝１．８４６；
Ｔ４／ＡＧ２３＝１．９５３；
ＡＬＴ／ＡＧ２３＝８．３９７；
ＡＡＧ／（ＡＧ３４＋ＡＧ４５）＝７．５６１；
Ｔ１／ＡＧ１２＝１．３３５；
Ｔ４／ＡＧ１２＝１．４５９；
ＡＬＴ／Ｔ３＝７．５５５；
Ｔ５／Ｔ４＝０．５５０；
ＡＡＧ／Ｔ４＝１．３８０
【００６６】
第１のレンズ素子１１０の物体側の面１１１から像面１７０までの光軸に沿った距離は４．０３４ｍｍであり、光学撮像レンズ１の長さが短縮されている。
【００６７】
留意すべきことは、光学撮像レンズ１のＨＦＯＶは４６．９１２度であり、これによって、良好な像品質を得ることが可能であるということである。
【００６８】
第１のレンズ素子１１０の物体側の面１１１および像側の面１１２と、第２のレンズ素子１２０の物体側の面１２１および像側の面１２２と、第３のレンズ素子１３０の物体側の面１３１および像側の面１３２と、第４のレンズ素子１４０の物体側の面１４１および像側の面１４２と、第５のレンズ素子１５０の物体側の面１５１および像側の面１５２と、を含む非球面はすべて、以下の非球面式で定義される。
0005873133.tif 000002
ここで、
Ｒは、レンズ素子面の曲率半径を表す。
Ｚは、非球面の深さ（光軸から距離Ｙにある非球面上の点と、非球面の光軸上の頂点における接平面と、の間の垂直距離）を表す。
Ｙは、非球面上の点と光軸との間の垂直距離を表す。
Ｋは、円錐定数を表す。
ａｉは、ｉ次の非球面係数を表す。
【００６９】
各非球面パラメータの値を、図５に示している。
【００７０】
図３に示すように、いくつかの異なる波長についての縦球面収差（ａ）の曲線は、相互に近接している。これは、これらの波長に関する軸外光が良好に収束することを表している。図中に示す各曲線の縦偏差によると、像点に対する軸外光のオフセットは、±０．０２ｍｍの範囲内にある。よって、本実施形態は、様々な波長に関して縦球面収差を改善している。
【００７１】
サジタル方向の非点収差（ｂ）、およびタンジェンシャル方向の非点収差（ｃ）について、図３を参照する。３つの波長に関する焦点の変動は全視野で±０．１ｍｍの範囲内にある。これは、本実施形態の光学撮像レンズ１が収差を効果的に除去していることを反映している。
【００７２】
歪曲収差（ｄ）について、図３を参照すると、歪曲収差の変動が±２％の範囲内であることを示している。このような歪曲収差は、許容される像品質の要件を満たすものであり、また、光学撮像レンズ１の長さを４．０３４ｍｍまで短縮したとしても、ＨＦＯＶが約４７度であって、本実施形態の光学撮像レンズ１が像品質を高めるように歪曲収差を制限することができることを示している。
【００７３】
よって、本実施形態の光学撮像レンズ１は、縦球面収差、サジタル方向の非点収差、タンジェンシャル方向の非点収差、および歪曲収差において、優れた特性を示すものである。例示的な実施形態の光学撮像レンズ１は、上記の実例によれば、実際に優れた光学性能を実現し、また、光学撮像レンズ１の長さは効果的に短縮されている。
【００７４】
次に、図６〜９を参照する。図６は、第２の例示的な実施形態による光学撮像レンズの、５つのレンズ素子を有する光学撮像レンズ２の例示的な断面図を示している。図７は、第２の例示的な実施形態による光学撮像レンズ２の縦球面収差および他の種類の光学収差の例示的なチャートを示している。図８は、第２の例示的な実施形態による光学撮像レンズ２の各レンズ素子についての光学データの例示的な表を示している。図９は、第２の例示的な実施形態による光学撮像レンズ２についての非球面データの例示的な表を示している。
本実施形態において表示される参照符号は、第１の実施形態における類似の要素のものと同様であるが、ただし本実施形態では、参照符号は２で始まり、例えば、参照符号２３１によって第３のレンズ素子２３０の物体側の面を示し、参照符号２３２によって第３のレンズ素子２３０の像側の面を示すなどする。
【００７５】
図６に示すように、本実施形態の光学撮像レンズ２は、光軸に沿って物体側Ａ１から像側Ａ２へ順に、第１のレンズ素子２１０と、開口絞り２００と、第２のレンズ素子２２０と、第３のレンズ素子２３０と、第４のレンズ素子２４０と、第５のレンズ素子２５０と、を備える。
【００７６】
第２の実施形態と第１の実施形態との違いは、各レンズ素子の曲率半径および厚さ、各空隙の距離、第１のレンズ素子２１０の正／負の屈折力の構成にあり、一方、第２、第３、第４、第５のレンズ素子２２０、２３０、２４０、２５０の正／負の屈折力の構成、および物体側Ａ１に向いた物体側の面２１１、２２１、２３１、２４１、２５１と、像側Ａ２に向いた像側の面２１２、２２２、２３２、２４２、２５２とを含む面の凹／凸形状の構成は、第１の実施形態のものと同様である。具体的には、第１のレンズ素子２１０は負の屈折力を有する。
本実施形態の光学撮像レンズ２の各レンズ素子の光学特性について、図８を参照すると、この場合、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値は、次の通りである。
ＡＬＴ＝２．３１２（ｍｍ）；
ＡＡＧ＝０．６９６（ｍｍ）；
Ｔ２／ＡＧ２３＝２．２０２；
Ｔ４／Ｔ３＝０．４３０；
ＡＬＴ／ＡＡＧ＝３．３２４；
Ｔ２／Ｔ３＝０．９１１；
Ｔ５／ＡＧ２３＝１．９７７；
Ｔ２／ＡＧ１２＝１．６９３；
Ｔ４／ＡＧ２３＝１．０３９；
ＡＬＴ／ＡＧ２３＝９．２４２；
ＡＡＧ／（ＡＧ３４＋ＡＧ４５）＝５．７９６；
Ｔ１／ＡＧ１２＝１．２３４；
Ｔ４／ＡＧ１２＝０．７９９；
ＡＬＴ／Ｔ３＝３．８２３；
Ｔ５／Ｔ４＝１．９０３；
ＡＡＧ／Ｔ４＝２．６７５
【００７７】
第１のレンズ素子２１０の物体側の面２１１から像面２７０までの光軸に沿った距離は４．０６３ｍｍであり、光学撮像レンズ２の長さが短縮されている。同時に、光学撮像レンズ２のＨＦＯＶは、４７．４９８度に達している。
【００７８】
図７に示すように、本実施形態の光学撮像レンズ２は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ２の長さは効果的に短縮されている。
【００７９】
次に、図１０〜１３を参照する。図１０は、第３の例示的な実施形態による光学撮像レンズの、５つのレンズ素子を有する光学撮像レンズ３の例示的な断面図を示している。図１１は、第３の例示的な実施形態による光学撮像レンズ３の縦球面収差および他の種類の光学収差の例示的なチャートを示している。図１２は、第３の例示的な実施形態による光学撮像レンズ３の各レンズ素子についての光学データの例示的な表を示している。図１３は、第３の例示的な実施形態による光学撮像レンズ３についての非球面データの例示的な表を示している。
本実施形態において表示される参照符号は、第１の実施形態における類似の要素のものと同様であるが、ただし本実施形態では、参照符号は３で始まり、例えば、参照符号３３１によって第３のレンズ素子３３０の物体側の面を示し、参照符号３３２によって第３のレンズ素子３３０の像側の面を示すなどする。
【００８０】
図１０に示すように、本実施形態の光学撮像レンズ３は、光軸に沿って物体側Ａ１から像側Ａ２へ順に、第１のレンズ素子３１０と、開口絞り３００と、第２のレンズ素子３２０と、第３のレンズ素子３３０と、第４のレンズ素子３４０と、第５のレンズ素子３５０と、を備える。
【００８１】
第３の実施形態と第２の実施形態との違いは、各レンズ素子の曲率半径および厚さと、各空隙の距離にあり、一方、第１、第２、第３、第４、第５のレンズ素子３１０、３２０、３３０、３４０、３５０の正／負の屈折力の構成、および物体側Ａ１に向いた物体側の面３１１、３２１、３３１、３４１、３５１と、像側Ａ２に向いた像側の面３１２、３２２、３３２、３４２、３５２とを含む面の凹／凸形状の構成は、第２の実施形態のものと同様である。
本実施形態の光学撮像レンズ３の各レンズ素子の光学特性について、図１２を参照すると、この場合、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値は、次の通りである。
ＡＬＴ＝２．３２８（ｍｍ）；
ＡＡＧ＝０．６９９（ｍｍ）；
Ｔ２／ＡＧ２３＝２．００８；
Ｔ４／Ｔ３＝０．３５６；
ＡＬＴ／ＡＡＧ＝３．３３１；
Ｔ２／Ｔ３＝０．６５４；
Ｔ５／ＡＧ２３＝２．０１０；
Ｔ２／ＡＧ１２＝１．２５４；
Ｔ４／ＡＧ２３＝１．０９４；
ＡＬＴ／ＡＧ２３＝９．９６４；
ＡＡＧ／（ＡＧ３４＋ＡＧ４５）＝７．６７２；
Ｔ１／ＡＧ１２＝１．１１１；
Ｔ４／ＡＧ１２＝０．６８３；
ＡＬＴ／Ｔ３＝３．２４３；
Ｔ５／Ｔ４＝１．８３７；
ＡＡＧ／Ｔ４＝２．７３４
【００８２】
第１のレンズ素子３１０の物体側の面３１１から像面３７０までの光軸に沿った距離は４．０８３ｍｍであり、光学撮像レンズ３の長さが短縮されている。同時に、光学撮像レンズ３のＨＦＯＶは、４８．０３８度に達している。
【００８３】
図１１に示すように、本実施形態の光学撮像レンズ３は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ３の長さは効果的に短縮されている。
【００８４】
次に、図１４〜１７を参照する。図１４は、第４の例示的な実施形態による光学撮像レンズの、５つのレンズ素子を有する光学撮像レンズ４の例示的な断面図を示している。図１５は、第４の実施形態による光学撮像レンズ４の縦球面収差および他の種類の光学収差の例示的なチャートを示している。図１６は、第４の例示的な実施形態による光学撮像レンズ４の各レンズ素子についての光学データの例示的な表を示している。図１７は、第４の例示的な実施形態による光学撮像レンズ４についての非球面データの例示的な表を示している。
本実施形態において表示される参照符号は、第１の実施形態における類似の要素のものと同様であるが、ただし本実施形態では、参照符号は４で始まり、例えば、参照符号４３１によって第３のレンズ素子４３０の物体側の面を示し、参照符号４３２によって第３のレンズ素子４３０の像側の面を示すなどする。
【００８５】
図１４に示すように、本実施形態の光学撮像レンズ４は、光軸に沿って物体側Ａ１から像側Ａ２へ順に、第１のレンズ素子４１０と、開口絞り４００と、第２のレンズ素子４２０と、第３のレンズ素子４３０と、第４のレンズ素子４４０と、第５のレンズ素子４５０と、を備える。
【００８６】
第４の実施形態と第１の実施形態との違いは、各レンズ素子の曲率半径および厚さと、各空隙の距離にあり、一方、第１、第２、第３、第４、第５のレンズ素子４１０、４２０、４３０、４４０、４５０の正／負の屈折力の構成、および物体側Ａ１に向いた物体側の面４１１、４２１、４３１、４４１、４５１と、像側Ａ２に向いた像側の面４１２、４２２、４３２、４４２、４５２とを含む面の凹／凸形状の構成は、第１の実施形態のものと同様である。
本実施形態の光学撮像レンズ４の各レンズ素子の光学特性について、図１６を参照すると、この場合、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値は、次の通りである。
ＡＬＴ＝２．３６９（ｍｍ）；
ＡＡＧ＝０．５０１（ｍｍ）；
Ｔ２／ＡＧ２３＝２．８８１；
Ｔ４／Ｔ３＝１．３６９；
ＡＬＴ／ＡＡＧ＝４．７２４；
Ｔ２／Ｔ３＝２．２９８；
Ｔ５／ＡＧ２３＝１．１４２；
Ｔ２／ＡＧ１２＝５．０２６；
Ｔ４／ＡＧ２３＝１．７１６；
ＡＬＴ／ＡＧ２３＝９．０１１；
ＡＡＧ／（ＡＧ３４＋ＡＧ４５）＝５．７０２；
Ｔ１／ＡＧ１２＝３．５２２；
Ｔ４／ＡＧ１２＝２．９９４；
ＡＬＴ／Ｔ３＝７．１８９；
Ｔ５／Ｔ４＝０．６６６；
ＡＡＧ／Ｔ４＝１．１１２
【００８７】
第１のレンズ素子４１０の物体側の面４１１から像面４７０までの光軸に沿った距離は３．８６０ｍｍであり、光学撮像レンズ４の長さが短縮されている。同時に、光学撮像レンズ４のＨＦＯＶは、４６．８６９度に達している。
【００８８】
図１５に示すように、本実施形態の光学撮像レンズ４は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ４の長さは効果的に短縮されている。
【００８９】
次に、図１８〜２１を参照する。図１８は、第５の例示的な実施形態による光学撮像レンズの、５つのレンズ素子を有する光学撮像レンズ５の例示的な断面図を示している。図１９は、第５の実施形態による光学撮像レンズ５の縦球面収差および他の種類の光学収差の例示的なチャートを示している。図２０は、第５の例示的な実施形態による光学撮像レンズ５の各レンズ素子についての光学データの例示的な表を示している。図２１は、第５の例示的な実施形態による光学撮像レンズ５についての非球面データの例示的な表を示している。
本実施形態において表示される参照符号は、第１の実施形態における類似の要素のものと同様であるが、ただし本実施形態では、参照符号は５で始まり、例えば、参照符号５３１によって第３のレンズ素子５３０の物体側の面を示し、参照符号５３２によって第３のレンズ素子５３０の像側の面を示すなどする。
【００９０】
図１８に示すように、本実施形態の光学撮像レンズ５は、光軸に沿って物体側Ａ１から像側Ａ２へ順に、第１のレンズ素子５１０と、開口絞り５００と、第２のレンズ素子５２０と、第３のレンズ素子５３０と、第４のレンズ素子５４０と、第５のレンズ素子５５０と、を備える。
【００９１】
第５の実施形態と第２の実施形態との違いは、各レンズ素子の曲率半径および厚さと、各空隙の距離にあり、一方、第１、第２、第３、第４、第５のレンズ素子５１０、５２０、５３０、５４０、５５０の正／負の屈折力の構成、および物体側Ａ１に向いた物体側の面５１１、５２１、５３１、５４１、５５１と、像側Ａ２に向いた像側の面５１２、５２２、５３２、５４２、５５２とを含む面の凹／凸形状の構成は、第２の実施形態のものと同様である。
本実施形態の光学撮像レンズ５の各レンズ素子の光学特性について、図２０を参照すると、この場合、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値は、次の通りである。
ＡＬＴ＝２．２１５（ｍｍ）；
ＡＡＧ＝０．８１５（ｍｍ）；
Ｔ２／ＡＧ２３＝１．８９６；
Ｔ４／Ｔ３＝０．４９７；
ＡＬＴ／ＡＡＧ＝２．７１８；
Ｔ２／Ｔ３＝１．０８４；
Ｔ５／ＡＧ２３＝１．４４９；
Ｔ２／ＡＧ１２＝１．６４７；
Ｔ４／ＡＧ２３＝０．８６９；
ＡＬＴ／ＡＧ２３＝７．４２４；
ＡＡＧ／（ＡＧ３４＋ＡＧ４５）＝４．７１０；
Ｔ１／ＡＧ１２＝１．２６８；
Ｔ４／ＡＧ１２＝０．７５５；
ＡＬＴ／Ｔ３＝４．２４３；
Ｔ５／Ｔ４＝１．６６７；
ＡＡＧ／Ｔ４＝３．１４３
【００９２】
第１のレンズ素子５１０の物体側の面５１１から像面５７０までの光軸に沿った距離は４．０８５ｍｍであり、光学撮像レンズ５の長さが短縮されている。同時に、光学撮像レンズ５のＨＦＯＶは、４６．９５２度に達している。
【００９３】
図１９に示すように、本実施形態の光学撮像レンズ５は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ５の長さは効果的に短縮されている。
【００９４】
次に、図２２〜２５を参照する。図２２は、第６の例示的な実施形態による光学撮像レンズの、５つのレンズ素子を有する光学撮像レンズ６の例示的な断面図を示している。図２３は、第６の実施形態による光学撮像レンズ６の縦球面収差および他の種類の光学収差の例示的なチャートを示している。図２４は、第６の例示的な実施形態による光学撮像レンズ６の各レンズ素子についての光学データの例示的な表を示している。図２５は、第６の例示的な実施形態による光学撮像レンズ６についての非球面データの例示的な表を示している。
本実施形態において表示される参照符号は、第１の実施形態における類似の要素のものと同様であるが、ただし本実施形態では、参照符号は６で始まり、例えば、参照符号６３１によって第３のレンズ素子６３０の物体側の面を示し、参照符号６３２によって第３のレンズ素子６３０の像側の面を示すなどする。
【００９５】
図２２に示すように、本実施形態の光学撮像レンズ６は、光軸に沿って物体側Ａ１から像側Ａ２へ順に、第１のレンズ素子６１０と、開口絞り６００と、第２のレンズ素子６２０と、第３のレンズ素子６３０と、第４のレンズ素子６４０と、第５のレンズ素子６５０と、を備える。
【００９６】
第６の実施形態と第２の実施形態との違いは、各レンズ素子の曲率半径および厚さ、各空隙の距離、面６２１、６４１の凹／凸形状にあり、一方、第１、第２、第３、第４、第５のレンズ素子６１０、６２０、６３０、６４０、６５０の正／負の屈折力の構成、および物体側Ａ１に向いた物体側の面６１１、６３１、６５１と、像側Ａ２に向いた像側の面６１２、６２２、６３２、６４２、６５２とを含む面の凹／凸形状の構成は、第２の実施形態のものと同様である。具体的には、第２のレンズ素子６２０の物体側の面６２１は凸面であり、第４のレンズ素子６４０の物体側の面６４１は、光軸近傍に凹部６４１１を有する。
本実施形態の光学撮像レンズ６の各レンズ素子の光学特性について、図２４を参照すると、この場合、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値は、次の通りである。
ＡＬＴ＝２．０５８（ｍｍ）；
ＡＡＧ＝１．２３９（ｍｍ）；
Ｔ２／ＡＧ２３＝０．９０６；
Ｔ４／Ｔ３＝０．４２８；
ＡＬＴ／ＡＡＧ＝１．６６１；
Ｔ２／Ｔ３＝０．７２８；
Ｔ５／ＡＧ２３＝０．８９０；
Ｔ２／ＡＧ１２＝０．７０７；
Ｔ４／ＡＧ２３＝０．５３２；
ＡＬＴ／ＡＧ２３＝４．２１５；
ＡＡＧ／（ＡＧ３４＋ＡＧ４５）＝９．９１３；
Ｔ１／ＡＧ１２＝０．５００；
Ｔ４／ＡＧ１２＝０．４１５；
ＡＬＴ／Ｔ３＝３．３８６；
Ｔ５／Ｔ４＝１．６７２；
ＡＡＧ／Ｔ４＝４．７６６
【００９７】
第１のレンズ素子６１０の物体側の面６１１から像面６７０までの光軸に沿った距離は４．４５０ｍｍであり、光学撮像レンズ６の長さが短縮されている。同時に、光学撮像レンズ６のＨＦＯＶは、４５．９６４度に達している。
【００９８】
図２３に示すように、本実施形態の光学撮像レンズ６は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ６の長さは効果的に短縮されている。
【００９９】
次に、図２６〜２９を参照する。図２６は、第７の例示的な実施形態による光学撮像レンズの、５つのレンズ素子を有する光学撮像レンズ７の例示的な断面図を示している。図２７は、第７の実施形態による光学撮像レンズ７の縦球面収差および他の種類の光学収差の例示的なチャートを示している。図２８は、第７の例示的な実施形態による光学撮像レンズ７の各レンズ素子についての光学データの例示的な表を示している。図２９は、第７の例示的な実施形態による光学撮像レンズ７についての非球面データの例示的な表を示している。
本実施形態において表示される参照符号は、第１の実施形態における類似の要素のものと同様であるが、ただし本実施形態では、参照符号は７で始まり、例えば、参照符号７３１によって第３のレンズ素子７３０の物体側の面を示し、参照符号７３２によって第３のレンズ素子７３０の像側の面を示すなどする。
【０１００】
図２６に示すように、本実施形態の光学撮像レンズ７は、光軸に沿って物体側Ａ１から像側Ａ２へ順に、第１のレンズ素子７１０と、開口絞り７００と、第２のレンズ素子７２０と、第３のレンズ素子７３０と、第４のレンズ素子７４０と、第５のレンズ素子７５０と、を備える。
【０１０１】
第７の実施形態と第２の実施形態との違いは、各レンズ素子の曲率半径および厚さ、各空隙の距離、面７２１、７３１の凹／凸形状の構成にあり、一方、第１、第２、第３、第４、第５のレンズ素子７１０、７２０、７３０、７４０、７５０の正／負の屈折力の構成、および物体側Ａ１に向いた物体側の面７１１、７４１、７５１と、像側Ａ２に向いた像側の面７１２、７２２、７３２、７４２、７５２とを含む面の凹／凸形状の構成は、第２の実施形態のものと同様である。具体的には、第２のレンズ素子７２０の物体側の面７２１は、該第２のレンズ素子７２０の周縁部近傍に凸部７２１１を有する凸面であり、第３のレンズ素子７３０の物体側の面７３１は、該第３のレンズ素子７３０の周縁部近傍に凸部７３１１を有する。
本実施形態の光学撮像レンズ７の各レンズ素子の光学特性について、図２８を参照すると、この場合、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値は、次の通りである。
ＡＬＴ＝２．３６７（ｍｍ）；
ＡＡＧ＝０．８４１（ｍｍ）；
Ｔ２／ＡＧ２３＝１．０１４；
Ｔ４／Ｔ３＝０．４４５；
ＡＬＴ／ＡＡＧ＝２．８１５；
Ｔ２／Ｔ３＝０．７９９；
Ｔ５／ＡＧ２３＝０．８１８；
Ｔ２／ＡＧ１２＝１．８２１；
Ｔ４／ＡＧ２３＝０．５６６；
ＡＬＴ／ＡＧ２３＝５．１４９；
ＡＡＧ／（ＡＧ３４＋ＡＧ４５）＝６．７２７；
Ｔ１／ＡＧ１２＝２．６６０；
Ｔ４／ＡＧ１２＝１．０１５；
ＡＬＴ／Ｔ３＝４．０５６；
Ｔ５／Ｔ４＝１．４４６；
ＡＡＧ／Ｔ４＝３．２３４
【０１０２】
第１のレンズ素子７１０の物体側の面７１１から像面７７０までの光軸に沿った距離は４．３０９ｍｍであり、光学撮像レンズ７の長さが短縮されている。同時に、光学撮像レンズ７のＨＦＯＶは、４５．９０５度に達している。
【０１０３】
図２７に示すように、本実施形態の光学撮像レンズ７は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ７の長さは効果的に短縮されている。
【０１０４】
次に、図３０〜３３を参照する。図３０は、第８の例示的な実施形態による光学撮像レンズの、５つのレンズ素子を有する光学撮像レンズ８の例示的な断面図を示している。図３１は、第８の実施形態による光学撮像レンズ８の縦球面収差および他の種類の光学収差の例示的なチャートを示している。図３２は、第８の例示的な実施形態による光学撮像レンズ８の各レンズ素子についての光学データの例示的な表を示している。図３３は、第８の例示的な実施形態による光学撮像レンズ８についての非球面データの例示的な表を示している。
本実施形態において表示される参照符号は、第１の実施形態における類似の要素のものと同様であるが、ただし本実施形態では、参照符号は８で始まり、例えば、参照符号８３１によって第３のレンズ素子８３０の物体側の面を示し、参照符号８３２によって第３のレンズ素子８３０の像側の面を示すなどする。
【０１０５】
図３０に示すように、本実施形態の光学撮像レンズ８は、光軸に沿って物体側Ａ１から像側Ａ２へ順に、第１のレンズ素子８１０と、開口絞り８００と、第２のレンズ素子８２０と、第３のレンズ素子８３０と、第４のレンズ素子８４０と、第５のレンズ素子８５０と、を備える。
【０１０６】
第８の実施形態と第１の実施形態との違いは、各レンズ素子の曲率半径および厚さ、各空隙の距離、面８２１、８３２の凹／凸形状の構成にあり、一方、第１、第２、第３、第４、第５のレンズ素子８１０、８２０、８３０、８４０、８５０の正／負の屈折力の構成、および物体側Ａ１に向いた物体側の面８１１、８３１、８４１、８５１と、像側Ａ２に向いた像側の面８１２、８２２、８４２、８５２とを含む面の凹／凸形状の構成は、第１の実施形態のものと同様である。具体的には、第２のレンズ素子８２０の物体側の面８２１は、光軸近傍に凹部８２１１を有する凹面であり、第３のレンズ素子８３０の像側の面８３２は、該第３のレンズ素子８３０の周縁部近傍に凹部８３２１を有する。
本実施形態の光学撮像レンズ８の各レンズ素子の光学特性について、図３２を参照すると、この場合、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値は、次の通りである。
ＡＬＴ＝２．２２２（ｍｍ）；
ＡＡＧ＝０．７２８（ｍｍ）；
Ｔ２／ＡＧ２３＝１．５９８；
Ｔ４／Ｔ３＝０．８５２；
ＡＬＴ／ＡＡＧ＝３．０５３；
Ｔ２／Ｔ３＝１．２２５；
Ｔ５／ＡＧ２３＝０．８２３；
Ｔ２／ＡＧ１２＝２．５４７；
Ｔ４／ＡＧ２３＝１．１１２；
ＡＬＴ／ＡＧ２３＝５．９７８；
ＡＡＧ／（ＡＧ３４＋ＡＧ４５）＝５．９２５；
Ｔ１／ＡＧ１２＝１．８１７；
Ｔ４／ＡＧ１２＝１．７７２；
ＡＬＴ／Ｔ３＝４．５８３；
Ｔ５／Ｔ４＝０．７４１；
ＡＡＧ／Ｔ４＝１．７６１
【０１０７】
第１のレンズ素子８１０の物体側の面８１１から像面８７０までの光軸に沿った距離は４．００９ｍｍであり、光学撮像レンズ８の長さが短縮されている。同時に、光学撮像レンズ８のＨＦＯＶは、４５．９１９度に達している。
【０１０８】
図３１に示すように、本実施形態の光学撮像レンズ８は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ８の長さは効果的に短縮されている。
【０１０９】
次に、図３４〜３７を参照する。図３４は、第９の例示的な実施形態による光学撮像レンズの、５つのレンズ素子を有する光学撮像レンズ９の例示的な断面図を示している。図３５は、第９の実施形態による光学撮像レンズ９の縦球面収差および他の種類の光学収差の例示的なチャートを示している。図３６は、第９の例示的な実施形態による光学撮像レンズ９の各レンズ素子についての光学データの例示的な表を示している。図３７は、第９の例示的な実施形態による光学撮像レンズ９についての非球面データの例示的な表を示している。
本実施形態において表示される参照符号は、第１の実施形態における類似の要素のものと同様であるが、ただし本実施形態では、参照符号は９で始まり、例えば、参照符号９３１によって第３のレンズ素子９３０の物体側の面を示し、参照符号９３２によって第３のレンズ素子９３０の像側の面を示すなどする。
【０１１０】
図３４に示すように、本実施形態の光学撮像レンズ９は、光軸に沿って物体側Ａ１から像側Ａ２へ順に、第１のレンズ素子９１０と、開口絞り９００と、第２のレンズ素子９２０と、第３のレンズ素子９３０と、第４のレンズ素子９４０と、第５のレンズ素子９５０と、を備える。
【０１１１】
第９の実施形態と第８の実施形態との違いは、各レンズ素子の曲率半径および厚さ、各空隙の距離、第１のレンズ素子９１０の正／負の屈折力の構成、面９５１の凹／凸形状の構成にあり、一方、第２、第３、第４、第５のレンズ素子９２０、９３０、９４０、９５０の正／負の屈折力の構成、および物体側Ａ１に向いた物体側の面９１１、９２１、９３１、９４１と、像側Ａ２に向いた像側の面９１２、９２２、９３２、９４２、９５２とを含む面の凹／凸形状の構成は、第８の実施形態のものと同様である。具体的には、第１のレンズ素子９１０は負の屈折力を有し、第５のレンズ素子９５０の物体側の面９５１は、光軸近傍に凸部９５１１を有するとともに、該第５のレンズ素子９５０の周縁部近傍に凸部９５１２を有し、さらに光軸近傍と該第５のレンズ素子９５０の周縁部近傍との間に凹部９５１３を有する。
本実施形態の光学撮像レンズ９の各レンズ素子の光学特性について、図３６を参照すると、この場合、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値は、次の通りである。
ＡＬＴ＝２．２４５（ｍｍ）；
ＡＡＧ＝０．８７８（ｍｍ）；
Ｔ２／ＡＧ２３＝１．２４１；
Ｔ４／Ｔ３＝０．６２２；
ＡＬＴ／ＡＡＧ＝２．５５７；
Ｔ２／Ｔ３＝１．１９６；
Ｔ５／ＡＧ２３＝１．６５１；
Ｔ２／ＡＧ１２＝１．２４３；
Ｔ４／ＡＧ２３＝０．６４５；
ＡＬＴ／ＡＧ２３＝５．８０９；
ＡＡＧ／（ＡＧ３４＋ＡＧ４５）＝８．３０２；
Ｔ１／ＡＧ１２＝１．２３７；
Ｔ４／ＡＧ１２＝０．６４６；
ＡＬＴ／Ｔ３＝５．６００；
Ｔ５／Ｔ４＝２．５６０；
ＡＡＧ／Ｔ４＝３．５２３
【０１１２】
第１のレンズ素子９１０の物体側の面９１１から像面９７０までの光軸に沿った距離は４．１３０ｍｍであり、光学撮像レンズ９の長さが短縮されている。同時に、光学撮像レンズ９のＨＦＯＶは、４７．６０５度に達している。
【０１１３】
図３５に示すように、本実施形態の光学撮像レンズ９は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ９の長さは効果的に短縮されている。
【０１１４】
次に、図３８〜４１を参照する。図３８は、第１０の例示的な実施形態による光学撮像レンズの、５つのレンズ素子を有する光学撮像レンズ１０の例示的な断面図を示している。図３９は、第１０の実施形態による光学撮像レンズ１０の縦球面収差および他の種類の光学収差の例示的なチャートを示している。図４０は、第１０の例示的な実施形態による光学撮像レンズ１０の各レンズ素子についての光学データの例示的な表を示している。図４１は、第１０の例示的な実施形態による光学撮像レンズ１０についての非球面データの例示的な表を示している。
本実施形態において表示される参照符号は、第１の実施形態における類似の要素のものと同様であるが、ただし本実施形態では、参照符号は１０で始まり、例えば、参照符号１０３１によって第３のレンズ素子１０３０の物体側の面を示し、参照符号１０３２によって第３のレンズ素子１０３０の像側の面を示すなどする。
【０１１５】
図３８に示すように、本実施形態の光学撮像レンズ１０は、光軸に沿って物体側Ａ１から像側Ａ２へ順に、第１のレンズ素子１０１０と、開口絞り１０００と、第２のレンズ素子１０２０と、第３のレンズ素子１０３０と、第４のレンズ素子１０４０と、第５のレンズ素子１０５０と、を備える。
【０１１６】
第１０の実施形態と第１の実施形態との違いは、各レンズ素子の曲率半径および厚さと、各空隙の距離にあり、一方、第１、第２、第３、第４、第５のレンズ素子１０１０、１０２０、１０３０、１０４０、１０５０の正／負の屈折力の構成、および物体側Ａ１に向いた物体側の面１０１１、１０２１、１０３１、１０４１、１０５１と、像側Ａ２に向いた像側の面１０１２、１０２２、１０３２、１０４２、１０５２とを含む面の凹／凸形状の構成は、第１の実施形態のものと同様である。
本実施形態の光学撮像レンズ１０の各レンズ素子の光学特性について、図４０を参照すると、この場合、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値は、次の通りである。
ＡＬＴ＝２．３７４（ｍｍ）；
ＡＡＧ＝０．７０４（ｍｍ）；
Ｔ２／ＡＧ２３＝２．３３８；
Ｔ４／Ｔ３＝１．９７５；
ＡＬＴ／ＡＡＧ＝３．３７１；
Ｔ２／Ｔ３＝１．２１９；
Ｔ５／ＡＧ２３＝０．３８９；
Ｔ２／ＡＧ１２＝１．１９２；
Ｔ４／ＡＧ２３＝３．７８７；
ＡＬＴ／ＡＧ２３＝１１．３０５；
ＡＡＧ／（ＡＧ３４＋ＡＧ４５）＝８．５４６；
Ｔ１／ＡＧ１２＝０．９５４；
Ｔ４／ＡＧ１２＝１．９３１；
ＡＬＴ／Ｔ３＝５．８９４；
Ｔ５／Ｔ４＝０．３６７；
ＡＡＧ／Ｔ４＝０．８８６
【０１１７】
第１のレンズ素子１０１０の物体側の面１０１１から像面１０７０までの光軸に沿った距離は４．０５１ｍｍであり、光学撮像レンズ１０の長さが短縮されている。同時に、光学撮像レンズ１０のＨＦＯＶは、４６．８９８度に達している。
【０１１８】
図３９に示すように、本実施形態の光学撮像レンズ１０は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ１０の長さは効果的に短縮されている。
【０１１９】
次に、図４２〜４５を参照する。図４２は、第１１の例示的な実施形態による光学撮像レンズの、５つのレンズ素子を有する光学撮像レンズ１１の例示的な断面図を示している。図４３は、第１１の実施形態による光学撮像レンズ１１の縦球面収差および他の種類の光学収差の例示的なチャートを示している。図４４は、第１１の例示的な実施形態による光学撮像レンズ１１の各レンズ素子についての光学データの例示的な表を示している。図４５は、第１１の例示的な実施形態による光学撮像レンズ１１についての非球面データの例示的な表を示している。
本実施形態において表示される参照符号は、第１の実施形態における類似の要素のものと同様であるが、ただし本実施形態では、参照符号は１１で始まり、例えば、参照符号１１３１によって第３のレンズ素子１１３０の物体側の面を示し、参照符号１１３２によって第３のレンズ素子１１３０の像側の面を示すなどする。
【０１２０】
図４２に示すように、本実施形態の光学撮像レンズ１１は、光軸に沿って物体側Ａ１から像側Ａ２へ順に、第１のレンズ素子１１１０と、開口絞り１１００と、第２のレンズ素子１１２０と、第３のレンズ素子１１３０と、第４のレンズ素子１１４０と、第５のレンズ素子１１５０と、を備える。
【０１２１】
第１１の実施形態と第２の実施形態との違いは、各レンズ素子の曲率半径および厚さと、各空隙の距離にあり、一方、第１、第２、第３、第４、第５のレンズ素子１１１０、１１２０、１１３０、１１４０、１１５０の正／負の屈折力の構成、および物体側Ａ１に向いた物体側の面１１１１、１１２１、１１３１、１１４１、１１５１と、像側Ａ２に向いた像側の面１１１２、１１２２、１１３２、１１４２、１１５２とを含む面の凹／凸形状の構成は、第２の実施形態のものと同様である。本実施形態の光学撮像レンズ１１の各レンズ素子の光学特性について、図４４を参照すると、この場合、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値は、次の通りである。
ＡＬＴ＝２．２２２（ｍｍ）；
ＡＡＧ＝０．７９２（ｍｍ）；
Ｔ２／ＡＧ２３＝２．１０７；
Ｔ４／Ｔ３＝０．９６３；
ＡＬＴ／ＡＡＧ＝２．８０６；
Ｔ２／Ｔ３＝０．９９２；
Ｔ５／ＡＧ２３＝１．８９１；
Ｔ２／ＡＧ１２＝１．０７９；
Ｔ４／ＡＧ２３＝２．０４６；
ＡＬＴ／ＡＧ２３＝９．８６６；
ＡＡＧ／（ＡＧ３４＋ＡＧ４５）＝６．２２７；
Ｔ１／ＡＧ１２＝０．８７０；
Ｔ４／ＡＧ１２＝１．０４８；
ＡＬＴ／Ｔ３＝４．６４５；
Ｔ５／Ｔ４＝０．９２４；
ＡＡＧ／Ｔ４＝１．７１９
【０１２２】
第１のレンズ素子１１１０の物体側の面１１１１から像面１１７０までの光軸に沿った距離は４．０３３ｍｍであり、光学撮像レンズ１１の長さが短縮されている。同時に、光学撮像レンズ１１のＨＦＯＶは、４７．６３４度に達している。
【０１２３】
図４３に示すように、本実施形態の光学撮像レンズ１１は、縦球面収差（ａ）、サジタル方向の非点収差（ｂ）、タンジェンシャル方向の非点収差（ｃ）、および歪曲収差（ｄ）において、優れた特性を示す。従って、本実施形態の光学撮像レンズは、上記の実例によれば、実際に優れた光学性能を示し、また、光学撮像レンズ１１の長さは効果的に短縮されている。
【０１２４】
図４６を参照すると、１１通りのすべての実施形態についての、ＡＬＴ、ＡＡＧ、Ｔ２／ＡＧ２３、Ｔ４／Ｔ３、ＡＬＴ／ＡＡＧ、Ｔ２／Ｔ３、Ｔ５／ＡＧ２３、Ｔ２／ＡＧ１２、Ｔ４／ＡＧ２３、ＡＬＴ／ＡＧ２３、ＡＡＧ／（ＡＧ３４＋ＡＧ４５）、Ｔ１／ＡＧ１２、Ｔ４／ＡＧ１２、ＡＬＴ／Ｔ３、Ｔ５／Ｔ４、ＡＡＧ／Ｔ４の値を示しており、本発明の光学撮像レンズが式（１）、（２）、（３）、（４）、（５）、（６）、（７）、（８）、（９）、（１０）／（１０’）、（１１）、（１２）、（１３）、および／または（１４）を満たしていることは明らかである。
【０１２５】
次に、図４７を参照すると、前述の光学撮像レンズを適用した携帯機器２０の第１の実施形態についての例示的な構造図を示している。携帯機器２０は、ハウジング２１と、ハウジング２１内に配置された撮影モジュール２２と、を備える。携帯機器２０は、例として、携帯電話機、カメラ、タブレット型コンピュータ、パーソナルデジタルアシスタント（ＰＤＡ：Ｐｅｒｓｏｎａｌ  Ｄｉｇｉｔａｌ  Ａｓｓｉｓｔａｎｔ）などとすることができるが、ただし、これらに限定されない。
【０１２６】
図４７に示すように、撮影モジュール２２は、５つのレンズ素子を有する前述の光学撮像レンズである例えば第１の実施形態の光学撮像レンズ１と、光学撮像レンズ１を位置決めするためのレンズ鏡筒２３と、レンズ鏡筒２３を位置決めするためのモジュール収容ユニット２４と、モジュール収容ユニット２４を位置決めするための基板１７２と、光学撮像レンズ１の像側に配置される撮像センサ１７１と、を備えることができる。像面１７０は、撮像センサ１７１上に形成される。
【０１２７】
他のいくつかの例示的な実施形態では、フィルタリングユニット１６０の構成を省くことができる。いくつかの例示的な実施形態では、ハウジング２１、レンズ鏡筒２３、および／またはモジュール収容ユニット２４は、１つのコンポーネントに統合するか、または複数のコンポーネントで組み立てることができる。
いくつかの例示的な実施形態では、本実施形態で用いる撮像センサ１７１は、チップ・オン・ボード（ＣＯＢ：Ｃｈｉｐ  Ｏｎ  Ｂｏａｒｄ）パッケージの形態で基板１７２に直接装着されおり、そのようなパッケージは、従来のチップ・スケール・パッケージ（ＣＳＰ：Ｃｈｉｐ  Ｓｃａｌｅ  Ｐａｃｋａｇｅ）とは異なり、ＣＯＢパッケージは、光学撮像レンズ１における撮像センサ１７１の前面にカバーガラスを必要としない。前述の例示的な実施形態は、このパッケージ型式に限定されるものではなく、また、他の記載の実施形態に選択的に組み込むことができる。
【０１２８】
５つのレンズ素子１１０、１２０、１３０、１４０、１５０は、隣接する２つのレンズ素子間を空隙により分離するようにして、レンズ鏡筒２３内に配置される。
【０１２９】
モジュール収容ユニット２４は、レンズ鏡筒２３を位置決めするためのレンズ支持台座２４０１と、レンズ支持台座２４０１と撮像センサ１７１との間に配置される撮像センサ台２４０６と、を備える。レンズ鏡筒２３とレンズ支持台座２４０１は同一の軸Ｉ‐Ｉ’に沿って配置され、レンズ支持台座２４０１はレンズ鏡筒２３の外側に近接している。撮像センサ台２４０６は、本実施形態では、典型例として、レンズ支持台座２４０１に近接している。撮像センサ台２４０６は、オプションとして、本発明のいくつかの他の実施形態では省くことができる。
【０１３０】
光学撮像レンズ１の長さは僅か４．０３４ｍｍであるので、携帯機器２０のサイズは極めて小さくすることができる。従って、本明細書に記載の実施形態は、小型化された製品設計に対する市場の需要を満たすものである。
【０１３１】
次に、図４８を参照すると、前述の光学撮像レンズ１を適用した携帯機器２０’の第２の実施形態についての別の構造図を示している。携帯機器２０’と携帯機器２０との違いの１つは、レンズ支持台座２４０１が、第１の台座ユニット２４０２と、第２の台座ユニット２４０３と、コイル２４０４と、磁気ユニット２４０５と、を含むこと、とすることができる。
第１の台座ユニット２４０２は、レンズ鏡筒２３の外側に近接して、軸Ｉ‐Ｉ’に沿って配置されており、第２の台座ユニット２４０３は、第１の台座ユニット２４０２の外側の周りにあって、軸Ｉ‐Ｉ’に沿って配置されている。コイル２４０４は、第１の台座ユニット２４０２と第２の台座ユニット２４０３の内側との間に配置されている。磁気ユニット２４０５は、コイル２４０４の外側と第２の台座ユニット２４０３の内側との間に配置されている。
【０１３２】
レンズ鏡筒２３と、その中に配置された光学撮像レンズ１は、軸Ｉ‐Ｉ’に沿って動くように、第１の台座ユニット２４０２により駆動される。携帯機器２０’の残りの構造は、携帯機器２０と同様である。
【０１３３】
同様に、光学撮像レンズ１の長さが４．０３４ｍｍと短縮されていることから、携帯機器２０’は、より小型に設計することができると同時に、それでも良好な光学性能が得られる。従って、本実施形態は、小型の製品設計に対する需要および市場の要求を満たすものである。
【０１３４】
上記の実例によれば、例示的な実施形態における携帯機器およびその光学撮像レンズは、レンズ素子の詳細な構造および／または屈折力を制御することによって、光学撮像レンズの長さが効果的に短縮されると同時に、それでも良好な光学特性が得られることは、明らかである。
【０１３５】
開示された原理による種々の実施形態について上記で説明したが、当然のことながら、これらは単なる例として提示したものにすぎず、限定するものではない。よって、例示的な実施形態の広さおよび範囲は、上記実施形態のいずれによっても限定されるべきではなく、本開示に係る請求項およびそれらの均等物によってのみ規定されるべきである。また、記載した実施形態において上記効果および特徴を提示しているが、それらは、上記効果の一部またはすべてを実現するプロセスおよび構造への、かかる請求項の適用を限定するものではない。
【０１３６】
また、本明細書におけるセクションの見出しは、３７  Ｃ．Ｆ．Ｒ．（米国特許法施行規則）１．７７条の提案との整合性を保つために提示されるものであるか、またはその他の組織的な手掛かりを提供するためのものである。これらの見出しは、本開示に係るいかなる請求項で記載される発明も、限定または特徴付けするものではない。特に、「背景技術」における技術の記載は、技術が、本開示の発明の先行技術であることを認めるものと解釈されるべきではない。
また、本開示における単数形での「発明」という表現は、本開示における新規な点が１つのみであることを主張するために用いられるものではない。本開示に係る複数の請求項での限定に従って複数の発明を規定することができ、よって、かかる請求項は、それらにより保護される発明およびそれらの均等物を規定するものである。いずれの場合も、かかる請求項の範囲は、本開示に照らして、それらの実体によって解釈されるものとし、本明細書の見出しによって制限されるべきではない。
【図１】
0005873133.tif 000003
【図２】
0005873133.tif 000004
【図３】
0005873133.tif 000005
【図４】
0005873133.tif 000006
【図５】
0005873133.tif 000007
【図６】
0005873133.tif 000008
【図７】
0005873133.tif 000009
【図８】
0005873133.tif 000010
【図９】
0005873133.tif 000011
【図１０】
0005873133.tif 000012
【図１１】
0005873133.tif 000013
【図１２】
0005873133.tif 000014
【図１３】
0005873133.tif 000015
【図１４】
0005873133.tif 000016
【図１５】
0005873133.tif 000017
【図１６】
0005873133.tif 000018
【図１７】
0005873133.tif 000019
【図１８】
0005873133.tif 000020
【図１９】
0005873133.tif 000021
【図２０】
0005873133.tif 000022
【図２１】
0005873133.tif 000023
【図２２】
0005873133.tif 000024
【図２３】
0005873133.tif 000025
【図２４】
0005873133.tif 000026
【図２５】
0005873133.tif 000027
【図２６】
0005873133.tif 000028
【図２７】
0005873133.tif 000029
【図２８】
0005873133.tif 000030
【図２９】
0005873133.tif 000031
【図３０】
0005873133.tif 000032
【図３１】
0005873133.tif 000033
【図３２】
0005873133.tif 000034
【図３３】
0005873133.tif 000035
【図３４】
0005873133.tif 000036
【図３５】
0005873133.tif 000037
【図３６】
0005873133.tif 000038
【図３７】
0005873133.tif 000039
【図３８】
0005873133.tif 000040
【図３９】
0005873133.tif 000041
【図４０】
0005873133.tif 000042
【図４１】
0005873133.tif 000043
【図４２】
0005873133.tif 000044
【図４３】
0005873133.tif 000045
【図４４】
0005873133.tif 000046
【図４５】
0005873133.tif 000047
【図４６】
0005873133.tif 000048
【図４７】
0005873133.tif 000049
【図４８】
0005873133.tif 000050